(57)【要約】【課題】  指とのフィット感を向上させるとともに、捕球操作性を向上させる野球用グローブを提供する。【解決手段】  手袋状に構成された外皮２の内部に複数の指袋３が設けられている野球用グローブであって、外皮２の指付け根相当箇所よりも手首側において、指袋３の隣接間の中間部４のうち、複数の中間部４に位置する外皮２に対して、指袋３の手甲側を通して紐状部材７を挿通し、この紐状部材７を引っ張ることにより中間部４の一方と他方の間に位置する指袋３を手甲側から手掌側に押圧する構成にしてある。【選択図】        図３
2006271780.tif 000002
【特許請求の範囲】
【請求項１】
手袋状に構成された外皮の内部に複数の指袋が設けられている野球用グローブであって、
前記外皮の指付け根相当箇所よりも手首側において、前記指袋の隣接間の中間部のうち、複数の中間部に位置する外皮に対して、指袋の手甲側を通して紐状部材を挿通し、この紐状部材を引っ張ることにより前記中間部の一方と他方の間に位置する指袋を手甲側から手掌側に押圧する構成にしてある野球用グローブ。
【請求項２】
前記紐状部材が、少なくとも一方の前記中間部に位置する外皮の手掌側外面から指袋の手甲側を通して他方の中間部に亘って挿通されている請求項１記載の野球用グローブ。
【請求項３】
前記紐状部材の一部分を、前記中間部に位置する前記外皮の手掌側外面を指袋並設方向に沿う構成にしてある請求項２記載の野球用グローブ。
【請求項４】
前記紐状部材が、前記中間部のうち、少なくとも中指用指袋と薬指用指袋との中間部に挿通されている請求項２又は３記載の野球用グローブ。
【請求項５】
前記紐状部材の一部分を、前記中間部の一方と他方の間に位置する前記外皮の手甲側外面において指袋並設方向に沿う構成にしてあるとともに、この一部分を手甲側から覆う紐状部材保護パーツが設けられている請求項１〜４のいずれか１項に記載の野球用グローブ。
【請求項６】
手袋状に構成された外皮の内部に複数の指袋が設けられている野球用グローブであって、
前記外皮の指付け根相当箇所よりも手首側で、少なくとも中指用指袋と薬指用指袋との中間部に、指袋並設方向に所定間隔を置いて外皮を手掌側外面から手甲側外面に亘って貫通する一対の挿通口を設け、
紐状部材の両端部を前記一対の挿通口を介して外皮の手掌側外面から手甲側外面に引き出して結束した野球用グローブ。
【発明の詳細な説明】
【技術分野】
【０００１】
本発明は、野球やソフトボールに使用する野球用グローブで、特に、指とのフィット感を向上させる技術に関する。
【背景技術】
【０００２】
一般に、野球用グローブは、手袋状の外皮の内部に指袋が設けられていて、それぞれの指袋内に指を位置させた状態で装着して使用されるが、多様な形状の指に対応できるように指袋内面と指との間にはかなりの余裕空間が形成されるように設定されているため、指袋内面と指とのフィット感が得られにいという問題があった。
一方、指袋内面と指とのフィット感の向上を図った野球用グローブとしては、手袋状の外皮を構成する手甲側外皮と手掌側外皮のうち、手甲側外皮に指袋の両側方に位置する一対の挿通口を設け、紐状部材の一端部を一方の挿通口を介して手甲側外皮の外側から外皮の内部に挿通し、捕球面を備えた手掌側外皮の内面と指袋の外面との間で指袋の手掌側外周に沿わせたのち、他方の挿通口を介して手甲側外皮の外側に引き出す技術が提案されている。（下記特許文献１参照）
【０００３】
【特許文献１】特開平９−２９９５４２
【発明の開示】
【発明が解決しようとする課題】
【０００４】
しかしながら、上記に記載の技術では、手掌側外皮の内面と指袋の手掌側面との間に紐状部材を配置して、この紐状部材を引っ張ることにより、紐状部材が指袋の手掌側面を手掌側から手甲側に押圧して手甲側に移動させることで、指袋と指との間の空間を狭くするとともに、指袋を通して紐状部材と相対向する部分の指を局部的に押圧するから、指袋と指とのフィット感を効果的に向上させることができたものの、一方で、指袋の手掌側面を手甲側に移動させることで手掌側外皮と指袋との間の空間を広くするため、手掌側外皮が指袋の動きに追従しにくくなり、野球用グローブの捕球操作性を低下させる可能性があった。
【０００５】
また、子供が捕球操作を行う際には、大人であれば指腹に接することになる外皮の指付け根相当箇所よりも手首側に位置する手掌側外皮が、大人よりも指の短い子供の指先によって手甲側から手掌側に押圧されるため、この手掌側外皮が延びた状態に変形し易く、さらに、この使用状態を継続していると、手掌側外皮が延びた状態に塑性変形して、野球用グローブの当初の捕球操作性を喪失してしまうことがあった。そして、このような手掌側外皮の延び変形は、大人と子供とで手首から指先までの長さの差が特に大きな中指から薬指に至る部分に顕著にあらわれていた。
【課題を解決するための手段】
【０００６】
本発明は、上述の実情に鑑みて為されたものであって、その主たる課題は、指とのフィット感を向上させるとともに、指の長さに係らず捕球操作性を向上させることのできる野球用グローブを提供する点にある。
【発明の効果】
【０００７】
本発明の野球用グローブの第１特徴構成は、手袋状に構成された外皮の内部に複数の指袋が設けられている野球用グローブであって、
前記外皮の指付け根相当箇所よりも手首側において、前記指袋の隣接間の中間部のうち、複数の中間部に位置する外皮に対して、指袋の手甲側を通して紐状部材を挿通し、この紐状部材を引っ張ることにより前記中間部の一方と他方の間に位置する指袋を手甲側から手掌側に押圧する構成にしてある点にある。
【０００８】
上記特徴構成によれば、指袋の隣接間の中間部に挿通された紐状部材を引っ張ることにより、紐状部材が外皮の指付け根相当箇所よりも手首側に位置する指袋を手甲側から手掌側に押圧して、指袋内面と指との間の空間を狭くするとともに、紐状部材に相対向する指の付け根に近い部分を指袋を通して局部的に押圧するから、指袋と指とのフィット感を向上させることができ、さらに、指袋が手掌側に押圧されることで手掌側に移動して、指袋と手掌側外皮との間の空間を狭くするから、指袋の動きに対する手掌側外皮の追従性を高め、野球用グローブの捕球操作性を向上させることができる。
【０００９】
本発明の野球用グローブの第２特徴構成は、前記紐状部材が、少なくとも一方の前記中間部に位置する外皮の手掌側外面から指袋の手甲側を通して他方の中間部に亘って挿通されている点にある。
【００１０】
上記特徴構成によれば、紐状部材が、少なくとも一方の指袋の中間部に位置する手掌側外皮を手掌側から手甲側に押圧して、手掌側外皮と指袋とを密着させることができるから、指袋に対する手掌側外皮の追従性を高め、野球用グローブの捕球操作性を向上させることができる。
【００１１】
しかも、大人と比べて指の短い子供の指先に押圧されるが故に、手掌側に変形し易い外皮の指付け根相当箇所よりも手首側に位置する手掌側外皮を、手掌側から手甲側に押圧して指袋に密着させることができるから、子供が使用する場合であっても、野球用グローブの捕球操作性を効果的に向上させることができるとともに、手掌側外皮が延びた状態に塑性変形することによる野球用グローブの当初の捕球操作性の喪失を抑制することができる。
【００１２】
本発明の野球用グローブの第３特徴構成は、前記紐状部材の一部分を、前記中間部に位置する前記外皮の手掌側外面を指袋並設方向に沿う構成にしてある点にある。
【００１３】
上記特徴構成によれば、紐状部材の一部分が、指袋の隣接間の中間部に位置する手掌側外皮を手掌側から手甲側に指袋並設方向の線形状に押圧することになるから、例えば、この中間部に位置する手掌側外皮を紐状部材の結び目で押圧する場合に比べ、広い範囲に亘って手掌側外皮を押圧することで、手掌側外皮と指袋との密着性を高めることができ、さらに、手掌側外皮を介して、この中間部の両側方に位置する一対の指袋を手掌側から手甲側に押圧することで、一対の指袋の指袋内面と指との間の空間を同時に狭くすることができる。
【００１４】
従って、指袋に対する手掌側外皮の追従性を効果的に高め、野球用グローブの捕球操作性を向上させることができるとともに、指袋と指とのフィット感を効率良く向上させることができる。
【００１５】
本発明の野球用グローブの第４特徴構成は、前記紐状部材が、前記中間部のうち、少なくとも中指用指袋と薬指用指袋との中間部に挿通されている点にある。
【００１６】
上記特徴構成によれば、大人と子供とで手首から指先までの長さの差が特に大きいために、子供の指先に局部的に押圧されて、特に手掌側に変形し易い部位である中指用指袋と薬指用指袋の中間部に位置する手掌側外皮を手掌側から手甲側に押圧して、指袋に密着させることができる。
【００１７】
従って、子供が使用する場合であっても、野球用グローブの捕球操作性を効率良く向上させることができるとともに、手掌側外皮が延びた状態に塑性変形することによる野球用グローブの当初の捕球操作性の喪失を効率良く抑制することができる。
【００１８】
本発明の野球用グローブの第５特徴構成は、前記紐状部材の一部分を、前記中間部の一方と他方との間に位置する前記外皮の手甲側外面において指袋並設方向に沿う構成にしてあるとともに、この一部分を手甲側から覆う紐状部材保護パーツが設けられている点にある。
【００１９】
上記特徴構成によれば、紐状部材の一部分が、直接手で触れることのできる外皮の手甲側外面に位置するから、この一部分を手で引っ張ることにより、紐状部材による指袋に対する手甲側から手掌側への押圧力を容易に確認することができるとともに、例えば、紐状部材を手で触れることのできない手甲側外皮と指袋との間の空間に配置する場合に比べて、紐状部材の取付け作業を容易にすることができる。
【００２０】
さらに、この紐状部材の一部分を紐状部材保護パーツが手甲側から覆うから、例えば、捕球動作によって外皮の手甲側外面が地面と接触した場合でも、紐状部材保護パーツの手掌側に位置する紐状部材が地面と接触することがなく、紐状部材の損傷を抑制することができる。
【００２１】
本発明の第６特徴構成は、手袋状に構成された外皮の内部に複数の指袋が設けられている野球用グローブであって、
前記外皮の指付け根相当箇所よりも手首側で、少なくとも中指用指袋と薬指用指袋との中間部に、指袋並設方向に所定間隔を置いて外皮を手掌側外面から手甲側外面に亘って貫通する一対の挿通口を設け、
紐状部材の両端部を前記一対の挿通口を介して外皮の手掌側外面から手甲側外面に引き出して結束した点にある。
【００２２】
上記特徴構成によれば、外皮の指付け根相当箇所よりも手首側において、紐状部材が、指袋の隣接間の中間部に位置する手掌側外皮を手掌側から手甲側に指袋並設方向に所定長さの線形状に押圧するが故に、例えば、この中間部に位置する手掌側外皮を紐状部材の結び目で押圧する場合に比べ、広い範囲に亘って手掌側外皮を押圧することで、手掌側外皮と指袋との密着性を高めることができるとともに、手掌側外皮を介して、この中間部の両側方に位置する中指用指袋と薬指用指袋を手掌側から手甲側に押圧することで、中指用指袋と薬指用指袋の指袋内面と指との間の空間を同時に狭くすることができ、さらに、紐状部材の両端部を結束した結束部が、手甲側外皮を介して中指用指袋と薬指用指袋を手甲側から手掌側に押圧するが故に、中指用指袋と薬指用指袋の指袋内面と指との間の空間を一層狭くすることができる。
【００２３】
しかも、大人と比べて指の短い子供の指先に押圧されるが故に、手掌側に変形し易い外皮の指付け根相当箇所よりも手首側に位置する手掌側外皮のうち、大人と子供とで手首から指先までの長さの差が特に大きいために、特に手掌側に変形し易い部位である中指用指袋と薬指用指袋の中間部に位置する手掌側外皮を手掌側から手甲側に押圧して、指袋に密着させることができる。
【００２４】
従って、指袋と指とのフィット感を効率良く向上させることができるとともに、指袋に対する手掌側外皮の追従性を高め、野球用グローブの捕球操作性を効率良く向上させることができる。さらに、子供が使用する場合であっても、野球用グローブの捕球操作性を向上させることができ、しかも、手掌側外皮が延びた状態に塑性変形することによる野球用グローブの当初の捕球操作性の喪失を抑制することができる。
【発明を実施するための最良の形態】
【００２５】
以下、本発明の実施例を図面に基づいて説明する。
〔第１実施形態〕
図１〜図３に示すように、この野球用グローブは、捕球面を構成する手袋状の外皮２の内部に指が嵌り込む指袋３が設けられているグローブ本体１と、このグローブ本体１の内部の指袋３を指に密着させるための紐状部材７と、この紐状部材７を手甲側から保護するための紐状部材保護パーツ８とで構成されている。
【００２６】
外皮２は、捕球面を備えた手掌側外皮２ｂと手の甲側の手甲側外皮２ａを逢着して構成されているとともに、指袋３は、内皮３ａと指袋形成皮３ｂを逢着して構成されていて、手掌側外皮２ｂと内皮３ａの間の指袋形成皮３ｂに相当する部分には、捕球時の衝撃を吸収するフェルト状の指芯９が設けられている。
【００２７】
グローブ本体１には、大人であれば指腹に接することになるものの、大人よりも手指の短い子供が捕球操作を行う場合には指先に接することになる外皮２の指付け根相当箇所２ｃよりも手首側において、大人と子供とで手首から指先までの長さの差が特に大きな中指と薬指が挿入される中指用指袋３Ｂと薬指用指袋３Ｃの隣接間の中間部４（第１中間部４ａ）における手の厚み方向の中心線５（第１中心線５ａ）よりも若干中指側の位置に、グローブ本体１の手掌側外面から手甲側外面に亘り、手甲側外皮２ａと内皮３ａ及び手掌側外皮２ｂを貫通する中指側貫通口６ａが形成されているとともに、第１中心線５ａよりも若干薬指側の位置に、グローブ本体１の手掌側外面から手甲側外面に亘り、手甲側外皮２ａと内皮３ａ及び手掌側外皮２ｂを貫通する薬指側第１貫通口６ｂが形成されている。
【００２８】
また、外皮２の指付け根相当箇所２ｃよりも手首側において、薬指用指袋３Ｃと小指用指袋３Ｄの隣接間の中間部４（第２中間部４ｂ）にも同様に、手の厚み方向の中心線５（第２中心線５ｂ）よりも若干薬指側の位置に、グローブ本体１の手掌側外面から手甲側外面に亘り、手甲側外皮２ａと内皮３ａ及び手掌側外皮２ｂを貫通する薬指側第２貫通口６ｃが形成されているとともに、第２中心線５ｂよりも若干子指側の位置に、グローブ本体１の手掌側外面から手甲側外面に亘り、手甲側外皮２ａと内皮３ａ及び手掌側外皮２ｂを貫通する子指側貫通口６ｄが形成されている。
【００２９】
紐状部材７は、その一端部が、中指側貫通口６ａを介して手甲側外皮２ａの手甲側から手掌側外皮２ｂの手掌側に引き出され、手掌側外皮２ｂの手掌側面（換言すれば、外皮２の手掌側外面）を指袋並設方向に沿わせて手掌側露出部７ｂを形成したのち、薬指側第１貫通口６ｂを介して手掌側外皮２ｂの手掌側から手甲側外皮２ａの手甲側に引き出され、そして、手甲側外皮２ａの手甲側面（換言すれば、外皮２の手甲側外面）を指併設方向に沿わせて手甲側露出部７ｃを形成したのち、薬指側第２貫通口６ｃを介して手甲側外皮２ａの手甲側から手掌側外皮２ｂの手掌側に引き出され、さらに、手掌側外皮２ｂの手掌側面を指袋並設方向に沿わせて手掌側露出部７ｂを形成したのち、子指側貫通口６ｄを介して手掌側外皮２ｂの手掌側から手甲側外皮２ａの手甲側に引き出されている。
【００３０】
そして、この紐状部材７の両端部を引っ張ると、紐状部材７の薬指側第１貫通口６ｂから薬指側第２貫通口６ｃに亘って指袋形成皮３ｂの手甲側を通る部分が、指袋形成皮３ｂを手甲側に局部的に押圧するとともに、紐状部材７の手甲側露出部７ｃが、それの面する手甲側外皮２ａを手甲側から手掌側に押圧することで、手甲側外皮２ａを手掌側に移動させ、この手甲側外皮２ａを介して薬指用指袋３Ｃの指袋形成皮３ｂを手甲側から手掌側に押圧することで、薬指用指袋３Ｃの指袋形成皮３ｂを手掌側に移動させ、さらに、紐状部材７の一対の手掌側露出部７ｂが、手掌側外皮２ｂを手掌側から手甲側に押圧することで、手掌側外皮２ｂを手甲側に移動させ、この手掌側外皮２ｂを介して第１中間部４ａ及び第２中間部４ｂの内皮３ａを手甲側から手掌側に押圧することで、中指用指袋３Ｂ、薬指用指袋３Ｃ、子指用指袋３Ｄの内皮３ａを手甲側に移動させる。
【００３１】
したがって、薬指用指袋３Ｃの内部空間（内皮３ａと指袋形成皮３ｂとの間の空間）が狭くなり、薬指用指袋３Ｃの内面と指とが密着されるとともに、手掌側外皮２ｂと内皮３ａとが密着される。しかも、同時に、中指用指袋３Ｂと子指用指袋３Ｄの内部空間も狭くなり、中指用指袋３Ｂと小指用指袋３Ｄの内面と指との密着性が高まる。
【００３２】
さらに、グローブ本体１を装着した状態で、紐状部材７を引っ張ることにより、薬指用指袋３Ｃの内部空間を指の大きさに対応して狭くすることができ、薬指用指袋３Ｃの内面と指とを確実に密着させることができる。
【００３３】
そして、紐状部材７の両端部を、中指側貫通口６ａから子指側貫通口６ｄまでの長さよりも若干長く形成された皮製の紐状部材保護パーツ８における指袋並設方向両側に設けた一対の挿通口８ａに各々挿通したのち、紐状部材７の両端部を引っ張った状態で、紐状部材７の両端部の各々に、紐状部材保護パーツ８の挿通口８ａ、中指側貫通口６ａ、子指側貫通口６ｄよりも大なる径の結び目７ａを形成して、グローブ本体１に掛止固定してある。
【００３４】
したがって、紐状部材７の手甲側露出部７ｃを手で触れて引張度を確認することで、指袋３への押圧力を容易に確認することができるとともに、例えば、紐状部材７を手で触れることのできない手甲側外皮２ａと指袋３との間の空間に配置する場合に比べて、紐状部材７の取付け作業を容易にすることができ、さらに、紐状部材保護パーツ８が紐状部材７の手甲側露出部７ｃを手甲側から覆うから、手甲側露出部７ｃと他の物体との接触を防止して、手甲側露出部７ｃの損傷を抑制することができる。
【００３５】
しかも、紐状部材７の結び目７ａが、紐状部材保護パーツ８を介して、中指側貫通口６ａ及び薬指側第２貫通口６ｃ周縁の手甲側外皮２ａを手甲側から手掌側に押圧して、手掌側に移動させることで、中指用指袋３Ｂ及び子指用指袋３Ｄを手甲側から手掌側に押圧して、中指用指袋３Ｂ及び子指用指袋３Ｄの指袋形成皮３ｂを手掌側に移動させるから、中指用指袋３Ｂ及び子指用指袋３Ｄの内部空間が狭くなり、中指用指袋３Ｂ及び子指用指袋３Ｄの内面と指とが密着される。
【００３６】
〔第２実施形態〕
上述の第１実施形態では、紐状部材７が手甲側外皮２ａの手甲側外面を指袋並設方向に沿わせて設けられていたが、紐状部材７が手甲側外皮２ａと指袋形成皮３ｂとの間で、指袋形成皮３ｂの手甲側面を指袋並設方向に沿わせて設けられていてもよい。
【００３７】
この実施形態では、図４、図５に示すように、中指側貫通口６ａ、薬指側第１貫通口６ｂ、薬指側第２貫通口６ｃ、小指側貫通口６ｄのうち、薬指用指袋３Ｃに相対向して配置されている薬指側第１貫通口６ｂ及び薬指側第２貫通口６ｃが、第１中間部４ａから手甲側外皮２ａに亘り、内皮３ａと手掌側外皮２ｂを貫通して形成されているとともに、紐状部材７には、紐状部材保護パーツ８は設けられていない。
【００３８】
紐状部材７は、その一端部が、中指側貫通口６ａを介して手甲側外皮２ａの手甲側から手掌側外皮２ｂの手掌側に引き出され、手掌側外皮２ｂの手掌側面を指袋並設方向に沿わせて手掌側露出部７ｂを形成したのち、薬指側第１貫通口６ｂを介して手掌側外皮２ｂの手掌側から第１中間部４ａに引き出され、そして、手甲側外皮２ａと指袋形成皮３ｂとの間で、指袋形成皮３ｂの手甲側面を指袋並設方向に沿わせて指袋周接部７ｄを形成したのち、薬指側第２貫通口６ｃを介して第２中間部４ｂから手掌側外皮２ｂの手掌側に引き出され、さらに、手掌側外皮２ｂの手掌側面を指袋並設方向に沿わせて手掌側露出部７ｂを形成したのち、子指側貫通口６ｄを介して手掌側外皮２ｂの手掌側から手甲側外皮２ａの手甲側に引き出されている。
【００３９】
そして、この紐状部材７の両端部を引っ張ると、紐状部材７の指袋周接部７ｄが、薬指用指袋３Ｃの指袋形成皮３ｂを手甲側に局部的に押圧するとともに、薬指用指袋３Ｃの指袋形成皮３ｂを手甲側から手掌側に押圧することで薬指用指袋３Ｃの指袋形成皮３ｂを手掌側に移動させ、さらに、紐状部材７の一対の手掌側露出部７ｂが、手掌側外皮２ｂを手掌側から手甲側に押圧することで、手掌側外皮２ｂを手甲側に移動させ、この手掌側外皮２ｂを介して第１中間部４ａ及び第２中間部４ｂの内皮３ａを手甲側から手掌側に押圧することで、中指用指袋３Ｂ、薬指用指袋３Ｃ、子指用指袋３Ｄの内皮３ａを手甲側に移動させる。
【００４０】
したがって、薬指用指袋３Ｃの内部空間が狭くなり、薬指用指袋３Ｃの内面と指とが密着されるとともに、手掌側外皮２ｂと内皮３ａとが密着される。しかも、同時に、中指用指袋３Ｂと子指用指袋３Ｄの内部空間も狭くなり、中指用指袋３Ｂと小指用指袋３Ｄの内面と指との密着性が高まる。
【００４１】
さらに、グローブ本体１を装着した状態で、紐状部材７を引っ張ることにより、薬指用指袋３Ｃの内部空間を指の大きさに対応して狭くすることができ、薬指用指袋３Ｃの内面と指とを確実に密着させることができる。
【００４２】
そして、紐状部材７の両端部を引っ張った状態で、紐状部材７の両端部の各々に、中指側貫通口６ａ及び子指側貫通口６ｄよりも大なる径の結び目７ａを形成して、グローブ本体１に掛止固定してある。
【００４３】
したがって、紐状部材７の結び目７ａが、中指側貫通口６ａ及び小指側貫通口６ｄ周縁の手甲側外皮２ａを手甲側から手掌側に押圧して、手掌側に移動させることで、中指用指袋３Ｂ及び子指用指袋３Ｄを手甲側から手掌側に押圧して、中指用指袋３Ｂ及び子指用指袋３Ｄの指袋形成皮３ｂを手掌側に移動させ、その結果、中指用指袋３Ｂ及び子指用指袋３Ｄの内部空間が狭くなり、中指用指袋３Ｂ及び子指用指袋３Ｄの内面と指とが密着される。尚、その他の構成は、第１実施形態で説明した構成と同一であるから、同一の構成箇所には、第１実施形態と同一の番号を付記してそれの説明は省略する。
【００４４】
〔第３実施形態〕
上述の各実施形態では、紐状部材７が複数の中間部４に亘って設けられていたが、１つの中間部４だけに設けられていてもよい。
【００４５】
この実施形態では、図６、７に示すように、中指側貫通口６ａと薬指側第１貫通口６ｂとが指袋並設方向に所定間隔を置いて配置されているとともに、紐状部材７は、その一端部が、中指側貫通口６ａを介して手甲側外皮２ａの手甲側から手掌側外皮２ｂの手掌側に引き出され、手掌側外皮２ｂの手掌側面を指袋並設方向に沿わせて所定長さの手掌側露出部７ｂを形成したのち、薬指側第１貫通口６ｂを介して手掌側外皮２ｂの手掌側から手甲側外皮２ａの手甲側に引き出されている。
【００４６】
そして、紐状部材７の両端部を引っ張り、その両端部を結束すると、紐状部材７の両端部を結束した結束部７ｅが、手甲側外皮２ａを介して中指用指袋３Ｂと薬指用指袋３Ｃの指袋形成皮３ｂを手甲側から手掌側に押圧することで、中指用指袋３Ｂと薬指用指袋３Ｃの指袋形成皮３ｂを手甲側から手掌側に移動させるとともに、所定長さの手掌側露出部７ｂが手掌側外皮２ｂを手掌側から手甲側に押圧することで、手掌側外皮２ｂを手甲側に移動させ、この手掌側外皮２ｂを介して第１中間部４ａの内皮３ａを手甲側から手掌側に押圧することで、中指用指袋３Ｂ、薬指用指袋３Ｃの内皮３ａを手甲側に移動させる。
【００４７】
したがって、中指用指袋３Ｂと薬指用指袋３Ｃの内部空間が同時に狭くなり、中指用指袋３Ｂと薬指用指袋３Ｃの内面と指との密着性が高まるとともに、手掌側外皮２ｂと内皮３ａとが密着される。尚、その他の構成は、第１実施形態で説明した構成と同一であるから、同一の構成箇所には、第１実施形態と同一の番号を付記してそれの説明は省略する。
【００４８】
〔その他の実施形態〕
（１）上述の各実施形態では、中指用指袋３Ｂと薬指用指袋３Ｃの中間部４（第１中間部４ａ）と、薬指用指袋３Ｃと小指用指袋３Ｄの中間部４（第２中間部４ｂ）に亘って、紐状部材７が設けられていたが、これに限られるものではなく、例えば、人差指用指袋と中指用指袋３Ｂの中間部４と第１中間部４ａ又は第２中間部４ｂに亘って紐状部材７が設けられていてもよく、また、人差指用指袋と中指用指袋３Ｂの中間部４と第１中間部４ａと第２中間部４ｂの全てに亘って紐状部材７が設けられていてもよい。
（２）上述の各実施形態では、紐状部材７の両端部の各々に結び目８を形成して、グローブ本体１に掛止固定してあったが、これに限られるものではなく、紐状部材７の両端部をグローブ本体１に固定できれば、どのような構成であってもよい。また、例えば、紐状部材７の両端部を結束して、紐状部材７をグローブ本体１に固定してもよい。
（３）上述の第１実施形態では、紐状部材保護パーツ８を中指側貫通口６ａから子指側貫通口６ｄまでの長さよりも若干長く形成したが、これに限られるものではなく、紐状部材７の手甲側露出部７ｃを、全部、部分に係らず手甲側から覆うことができれば、どのような構成であってもよい。
（４）上述の第１実施形態では、紐状部材保護パーツ８が皮製であったが、紐状部材保護パーツ８の素材は皮に限られるものではなく、紐状部材７の手甲側露出部７ｃを、全部、部分に係らず手甲側から覆うことができれば、どのような素材であってもよい。
【図面の簡単な説明】
【００４９】
【図１】本発明の第１実施形態における野球用グローブの手掌側外観図
【図２】本発明の第１実施形態における野球用グローブの手甲側外観図
【図３】図１の指袋並設方向の部分断面図
【図４】本発明の第２実施形態における野球用グローブの手甲側外観図
【図５】図４の指袋並設方向の部分断面図
【図６】本発明の第３実施形態における野球用グローブの手甲側外観図
【図７】図６の指袋並設方向の部分断面図
【符号の説明】
【００５０】
２        外皮
２ｃ      指付け根相当箇所
３        指袋
３Ｂ      中指用指袋
３Ｃ      薬指用指袋
４        中間部
６ａ      挿通口（中指側貫通口）
６ｂ      挿通口（薬指側第１貫通口）
７        紐状部材
８        紐状部材保護パーツ
【図１】
2006271780.tif 000003
【図２】
2006271780.tif 000004
【図３】
2006271780.tif 000005
【図４】
2006271780.tif 000006
【図５】
2006271780.tif 000007
【図６】
2006271780.tif 000008
【図７】
2006271780.tif 000009